(57)【要約】      （修正有）【課題】トイレットペーパーの端部を均一に且つスムースに引き出しでき、構造が簡単で加工性、経済性に優れたトイレットペーパーホルダを提供する。【解決手段】背板１と、上記背板１の両側に張出して設けた左右一対の板状ブラケット２Ａ、２Ｂと、上記各ブラケット２Ａ、２Ｂの内側に上下移動自在に設けた左右一対の回転軸と、上記各ブラケット２Ａ、２Ｂの上部内側に回転自在に設けられ端部に刃５を形成しているカバー４とを備え、上記回転軸にロール状に巻きつけたトイレットペーパー６を回転自在に保持させ、上記トイレットペーパー６の端部を引き出して上記刃５で切断するトイレットペーパーホルダＨにおいて、上記カバー４の中央にトイレットペーパー６の回転方向に沿って長孔８を形成し、当該長孔８内に挿入した指Ｐ又は治具で上記トイレットペーパー６を回転させることを特徴とする。【選択図】図１
0003212978.tif 000002
【実用新案登録請求の範囲】
【請求項１】
背板（１）と、上記背板（１）の両側に張出して設けた左右一対の板状ブラケット（２Ａ）、（２Ｂ）と、上記各ブラケット（２Ａ）、（２Ｂ）の内側に上下移動自在に設けた左右一対の回転軸（３）、（３）と、上記各ブラケット（２Ａ）、（２Ｂ）の上部内側に回転自在に設けられ端部に刃（５）を形成しているカバー（４）とを備え、上記回転軸（３）、（３）にロール状に巻きつけたトイレットペーパー（６）を回転自在に保持させ、上記トイレットペーパー（６）の端部を引き出して上記刃（５）で切断するトイレットペーパーホルダにおいて、
上記カバー（４）の中央にトイレットペーパー（６）の回転方向に沿って長孔（８）、（８Ａ）を形成し、当該長孔（８）、（８Ａ）内に挿入した指（Ｐ）又は治具（１０）で上記トイレットペーパー（６）を回転させることを特徴とするトイレットペーパーホルダ。
【請求項２】
上記治具（１０）が上記長孔（８Ａ）内にスライド自在に挿入したガイドピン（１２）と、上記ガイドピン（１２）の上端に設けたつまみ（１３）と、上記ガイドピン（１２）の下端に設けられ先端に爪（１１Ａ）を形成した引っ掛け片（１１）とで構成されている請求項１に記載のトイレットペーパーホルダ。
【請求項３】
上記ガイドピン（１２）の下端背部に復帰用のスプリング（Ｓ）を設けている請求項２に記載のトイレットペーパーホルダ。
【考案の詳細な説明】
【技術分野】
【０００１】
本考案は、トイレットペーパーホルダに関し、特にトイレットペーパーの端部を簡単に引き出すことができるようにしたトイレットペーパーホルダの改良に関するものである。
【背景技術】
【０００２】
一般にロール状に巻き付けたトイレットペーパーは便器の傍の壁に固定されたトイレットペーパーホルダに保持され、一部使用後端部が引き出されるようになっているのが普通である。
【０００３】
このトイレットペーパーパーホルダは先端に鋸状の刃を備えたカバーがトイレットペーパーを覆うようにして設けられ、このカバーの端部から引き出されたトイレットペーパーは使用に適する任意の長さになった時上記の刃で切断されて使用される。
【０００４】
しかしながら、上記の刃でトイレットペーパーを切断した時その端部はカバーの端部、言い換えれば刃の部分の下側に残り、トイレットペーパーの端部が隠れてしまう。
【０００５】
この為、次に使用する時はわざわざカバーを引き上げ、その状態でトイレットペーパーの端部を引き出す必要があり操作が面倒である。
【０００６】
そこで、次に使用する時すぐに任意の長さ引き出せるようにトイレットペーパーの端部を三角形状に折り畳んでカバーの端部からはみ出せておき、使用時にこの折り畳んだ部分を指でつまんで必要な長さだけトイレットペーパーを引っ張り出すようにすることが多い。
【０００７】
しかしこの場合でも、三角形状に折り畳む操作も面倒であり、この部分は使用に適しないのでペーパーの無駄となり経済性に不利である。
【０００８】
しかも、不特定多数の人が使用する公衆トイレ等では、上記の三角形状に折り畳んだ部分を次に使用する他人が手で引っ張り込む為衛生的に好ましくなく不快感を覚える場合もある。
【０００９】
そこで、この不具合を改善する為、例えば特許文献１、特許文献２に開示されたトイレットペーパーホルダが開発されている。
【００１０】
特許文献１に開示されたトイレットペーパーホルダはカバーの端部両側に切り欠き部を形成し、この切り欠き部からトイレットペーパーの端部を摘まんで引き出すようにしたものである。
【００１１】
このトイレットペーパーホルダはトイレットペーパーの端部の一部が切り欠き部から見えるので、カバーを引き上げなくてもこの見えている部分を指で摘まんで引き出すことが可能である。
【００１２】
特許文献２に開示されたトイレットペーパーホルダはトイレットペーパーと一体回転する筒状部にハンドルを設け、このハンドルを回転した時ロール状のトイレットペーパーを回転させてカバーの端部から任意の長さ引き出すようにしたものである。
【００１３】
このトイレットペーパーホルダではカバーを引き上げなくてもハンドルを回転するだけでトイレトペーパーを必要な長さ引き出すことが出来る。
【先行技術文献】
【特許文献】
【００１４】
特許文献１（特開２００７−２７５５２８号公報  図１、要約参照）
特許文献２（特開２０１６−１９８３３５公報  図３、要約参照）  
【考案の概要】
【考案が解決しようとする課題】
【００１５】
しかしながら、特許文献１、特許文献２に開示されているトイレットペーパーホルダは、次のような不具合の改善が望まれている。
【００１６】
即ち、特許文献１に開示されているトイレットペーパーホルダはカバーの両端部に形成した切り欠き部からトイレットペーパーの先端両側のみを引き出すためにトイレットペーパーの端部全体を均一に引き出すことが出来ない。
【００１７】
また、切り欠き部から引き出したトイレットペーパーはこの切り欠き部には刃が無いため、この切り欠き部に対応するトイレットペーパー部分を切断できず、無理に切断しようとするとトイレとペーパーがぐちゃぐちゃになる恐れある。
【００１８】
また特許文献２に開示されているトイレットペーパーホルダはハンドルでトイレットペーパーを回転させるためハンドルやその付属部品の構造が複雑で大型であり、加工性、経済性に不利である。
【００１９】
そこで本考案の目的は、トイレとペーパーの端部を均一に且つスムースに引き出しでき、構造が簡単で加工性、経済性に優れたトイレットペーパーホルダを提供することである。
【課題を解決するための手段】
【００２０】
上記の目的を達成する為、本考案の手段は、背板と、上記背板の両側に張出して設けた左右一対の板状ブラケットと、上記各ブラケットの内側に上下移動自在に設けた左右一対の回転軸と、上記各ブラケットの上部内側に回転自在に設けられ端部に刃を形成しているカバーとを備え、上記回転軸にロール状に巻きつけたトイレットペーパーを回転自在に保持させ、上記トイレットペーパーの端部を引き出して上記刃で切断するトイレットペーパーホルダにおいて、上記カバーの中央にトイレットペーパーの回転方向に沿って長孔を形成し、当該長孔内に挿入した指又は治具で上記トイレットペーパーを回転させることを特徴とするものである。
【考案の効果】
【００２１】
各請求項の考案によれば、次の特有の効果を達成できる。
【００２２】
本考案によれば、カバーの中央に長孔を形成しているので、この長孔に指又は治具を挿入してトイレットペーパーを回転すると簡単且つスムースにトイレットペーパーの端部を引き出すことが出来る。
【００２３】
しかも、この長孔部分に対応するトイレットペーパーには他人が触ることは無いので衛生的である。
【００２４】
また、カバーに長孔を形成しているだけであるから構造が簡単で加工性、経済性に優れている。
【図面の簡単な説明】
【００２５】
【図１】本考案の一実施の形態に係るトイレットペーパーホルダの斜視図である。
【図２】図１のトイレットペーパーの縦断側面図である。
【図３】本考案の他の実施の形態に係るトイレットペーパーの斜視図である。
【図４】図３のトイレットペーパーの縦断側面図であって治具を後退させた状態を示す。
【図５】図３のトイレットペーパーの縦断側面図であって治具でトイレットペーパーを引き出している状態を示す。
【図６】同じくカバーを引き上げた状態のトイレットペーパーの斜視図である。
【考案を実施するための形態】
【００２６】
以下本考案の実施の形態を図に基づいて説明する。
【００２７】
図１、図２は本考案の一実施の形態に係るトイレットペーパーホルダＨを示す。
【００２８】
このトイレットペーパーホルダＨの基本構造は既存のものと同じである。
【００２９】
即ち、このトイレットペーパーホルダＨの基本構造は、公知のように、背板１と、背板１の両側に張出して設けた左右一対の板状ブラケット２Ａ、２Ｂと、各ブラケット２Ａ、２Ｂの内側に上下移動自在に設けた左右一対の回転軸３、３と、各ブラケット２Ａ、２Ｂの上部内側に回転自在に設けられ端部に刃５を形成しているカバー４とを備えている。
【００３０】
また上記回転軸３、３にロール状に巻きつけたトイレットペーパー６を回転自在に保持させ、トイレットペーパー６の端部を引き出して上記刃５で切断するようになっている。
【００３１】
そして、この実施の形態では、カバー４の中央にトイレットペーパー６の回転方向に沿って長孔８を形成し、当該長孔８内に挿入した指Ｐでトイレットペーパー６を回転させ、このトイレットペーパー６の先端側端片６Ａをカバー４の先端、言い換えれば刃５の下側に引き出すものである。
【００３２】
引き出された任意の長さの端片６Ａは刃５で公知のように切断されるようになっている。
【００３３】
このトイレットペーパーホルダＨは長孔８がカバー４の中央に形成されているからこの長孔８に挿入した指Ｐはロール状トイレトペーパー６の中央部に当接するのでトイレットペーパー６の全体を均一に回転でき、爪５の下側に端片６Ａを均一に引き出せる。
【００３４】
その結果、端片６Ａも刃５に沿って均一に切断できる。
【００３５】
背板１は公知のようにボルト等で便器の近辺の壁に固定される。
【００３６】
同じく、回転軸３、３も公知のように、各ブラケット２Ａ、２Ｂの内側に形成したガイド孔９に上下移動自在に挿入されており、ロール状のトイレットペーパー６を下から挿入して上方に押し上げた時ガイド孔９に沿って上方に移動する。
【００３７】
そして、回転軸３はトイレットペーパー６を巻き付けている筒体７に対向した時バネ等で押し下げられてこの筒体７内に挿入され、この回転軸３に筒体７を介してトイレットペーパー６が回転自在に保持されるようになっている。
【００３８】
長孔８には指Ｐの他に治具を挿入し、この治具でパイロットペーパー６を回転させるようにしても良い。
【００３９】
即ち、図３〜図６の他の実施の形態に示すように、治具１０を使用することが可能である。
【００４０】
トイレットペーパーホルダＨの基本構造は図１の実施の形態と同じである。
【００４１】
但し、長孔８Ａは図１の長孔８に比べて細長に形成されている。
【００４２】
長孔８Ａに挿入した治具１０は、長孔８Ａ内にスライド自在に挿入したガイドピン１２と、ガイドピン１２の上端に設けたつまみ１３と、ガイドピン１２の下端に設けられ先端に爪１１Ａを形成した波型に湾曲した引っ掛け片１１とで構成されている。
ガイドピン１２と引っ掛け片１１と爪１１Ａはつまみ１３を介して手動で駆動されて長孔８Ａに沿って上下に移動し、下方に押された時爪１Ａがトイレットペーパー６の外面に引っ掛かりトイレットペーパー６の端部をカバー４の刃５の下方に押し出すようになっている。
押し出されたトイレットペーパー６の任意の長さの端片６Ａは図１の場合と同じく刃５で切断される。
治具１０は図４〜図６に示すように、ガイドピン１２の下端背部にブラケット１４，１５を介して復帰用のスプリング（Ｓ）を設けても良い。
なお、図６に示すように引っ掛け片１の移動を案内するガイド片１３Ａを左右に取付けても良い。
図４〜図６の実施の形態では、引っ掛け片１１を押し出した時は図６に示すようにスプリングＳが伸び、引っ掛け片１１に対する附勢力を中止すると図４に示すようにスプリングＳが復帰し、引っ掛け片１１等が後退して基の位置に戻るようになっている。
図４〜図６の実施の形態では、治具１０を介して機械的にトイレットペーパー６を回転するので確実にトイレットペーパー６を回転できる。
【符号の説明】
【００４３】
１  背板
２Ａ、２Ｂ  ブラケット
３  回転軸
４  カバー
５  刃
６  トイレットペーパー
８、８Ａ  長孔
１０  治具
１１  引っ掛け片
１１Ａ  爪
１２  ガイドピン
１３  つまみ
Ｓ  スプリング
Ｐ  指
【図１】
0003212978.tif 000003
【図２】
0003212978.tif 000004
【図３】
0003212978.tif 000005
【図４】
0003212978.tif 000006
【図５】
0003212978.tif 000007
【図６】
0003212978.tif 000008